(57)【要約】      （修正有）【課題】着用者の臀部側において十分なフィット性を有する３ピースタイプの使い捨ておむつを提供する。【解決手段】縦方向と、前記縦方向と交差する横方向と、を有した吸収性物品１であって、吸収性コア１１より横方向外側には、脚周り弾性部材１９が前記縦方向に沿って配置され、背側帯部材３０ｂには、前記脚周り弾性部材の一部と交差する背側帯弾性部材３５ｂが前記横方向に沿って配置され、腹側帯部材３０ａには、前記脚周り弾性部材の一部と交差する腹側帯弾性部材３５ａが前記横方向に沿って配置され、前記脚周り弾性部材のうち伸長状態にある部分と前記背側帯弾性部材とが交差する領域の前記縦方向の長さは、前記脚周り弾性部材のうち伸長状態にある部分と前記腹側帯弾性部材とが交差する領域の前記縦方向の長さより長い。【選択図】図５
2015071007.tif 000002
【特許請求の範囲】
【請求項１】
縦方向と、前記縦方向と交差する横方向と、を有した吸収性物品であって、
前記縦方向に沿って設けられ、排泄物を吸収する吸収性本体と、
前記横方向に沿って設けられ、前記吸収性本体の前記縦方向の一端部を前記吸収性本体の非肌側から覆いながら前記一端部に前記横方向の中央部が固定された腹側帯部材と、
前記腹側帯部材とは別部材として前記横方向に沿って設けられ、前記吸収性本体の前記縦方向の他端部を前記吸収性本体の非肌側から覆いながら前記他端部に前記横方向の中央部が固定された背側帯部材と、を有し、
前記吸収性本体は、液体吸収性素材を積層してなる吸収性コアと、前記吸収性コアを該吸収性コアの非肌側から覆う液不透過性の防漏シートを有し、
前記吸収性コアより前記横方向外側には、脚周り弾性部材が前記縦方向に沿って配置され、
前記背側帯部材には、前記脚周り弾性部材の一部と交差する背側帯弾性部材が前記横方向に沿って配置され、
前記腹側帯部材には、前記脚周り弾性部材の一部と交差する腹側帯弾性部材が前記横方向に沿って配置され、
前記脚周り弾性部材のうち伸長状態にある部分と前記背側帯弾性部材とが交差する領域の前記縦方向の長さは、
前記脚周り弾性部材のうち伸長状態にある部分と前記腹側帯弾性部材とが交差する領域の前記縦方向の長さより長い、
ことを特徴とする吸収性物品。
【請求項２】
請求項１に記載の吸収性物品であって、
前記脚周り弾性部材の一部と交差する前記背側帯弾性部材は、前記横方向において前記背側帯部材の一端部から他端部までに亘って連続して配置されている、ことを特徴とする吸収性物品。
【請求項３】
請求項１に記載の吸収性物品であって、
前記脚周り弾性部材の一部と交差する前記背側帯弾性部材は、前記横方向において前記背側帯部材の一端部から他端部までの間に少なくとも非連続となる部分を有し、
前記脚周り弾性部材の一部と交差する前記腹側帯弾性部材は、前記横方向において前記腹側帯部材の一端部から他端部までの間に少なくとも非連続となる部分を有する、ことを特徴とする吸収性物品。
【請求項４】
請求項３に記載の吸収性物品であって、
前記背側帯弾性部材のうち伸長状態にある部分と前記吸収性コアとが重なる部分の前記横方向の長さは、
前記腹側帯弾性部材のうち伸長状態にある部分と前記吸収性コアとが重なる部分の前記横方向の長さよりも長い、ことを特徴とする吸収性物品。
【請求項５】
請求項１〜４のいずれかに記載の吸収性物品であって、
前記脚周り弾性部材のうち伸長状態にある部分の前記縦方向の長さは、前記吸収性コアの前記縦方向の長さよりも長く、
前記脚周り弾性部材のうち伸長状態にある部分の前記縦方向の一端側が前記吸収性コアの腹側端部よりも前記縦方向の外側に、前記脚周り弾性部材のうち伸長状態にある部分の前記縦方向の他端側が前記吸収性コアの背側端部よりも前記縦方向の外側に配置される、ことを特徴とする吸収性物品。
【請求項６】
請求項１〜５のいずれかに記載の吸収性物品であって、
前記脚周り弾性部材を前記吸収性本体に張り合わせる際に前記脚周り弾性部材を前記縦方向に伸長させる割合よりも、
前記背側帯弾性部材を前記腹側帯部材に張り合わせる際に前記背側帯弾性部材を前記横方向に伸長させる割合の方が大きい、ことを特徴とする吸収性物品。
【発明の詳細な説明】
【技術分野】
【０００１】
本発明は、吸収性物品に関する。
【背景技術】
【０００２】
排泄物を吸収する吸収性物品として、３ピースタイプの使い捨ておむつが知られている。３ピースタイプの使い捨ておむつでは、一般に、着用者の股間にあてがわれて排泄物を吸収する吸収性本体と、着用者の腹側部を覆う腹側帯部材と、着用者の背側部を覆う背側帯部材とを有するように構成されている。このような３ピースタイプの使い捨ておむつにおいて、吸収性本体の側縁部（着用時における脚周りの位置）に糸ゴム等の弾性部材を設けて、吸収性本体の変形を促進、補助する技術がある。例えば、特許文献１には、吸収性本体の側縁部に設けられた弾性部材と、腹側帯部材及び背側帯部材に設けられた伸縮部材とによって、おむつ着用時のフィット性を向上させる技術が開示されている。
【先行技術文献】
【特許文献】
【０００３】
【特許文献１】特開２００９−２４０６４０号
【発明の概要】
【発明が解決しようとする課題】
【０００４】
特許文献１のような３ピースタイプの使い捨ておむつでは、着用者の脚周りに設けられた弾性部材によって着用者の脚周りにおける吸収性本体のフィット性が向上し、該吸収性本体から排泄物が漏れ出ることを抑制することができる。
【０００５】
しかし、着用者の臀部の周りには弾性部材が設けられていないため、着用者が身体を動かした場合に、臀部を包み込んでいた吸収性本体及び背側帯部材の位置がずれてしまうおそれがある。すなわち、臀部側のフィット性が不十分となるおそれがあり、また、臀部側において使い捨ておむつがめくれあがってしまうおそれがある。
【０００６】
本発明は、上記のような問題に鑑みてなされたものであって、その目的とするところは、着用者の臀部側において十分なフィット性を有する３ピースタイプの使い捨ておむつを提供することにある。
【課題を解決するための手段】
【０００７】
上記目的を達成するための主たる発明は、
【０００８】
縦方向と、前記縦方向と交差する横方向と、を有した吸収性物品であって、前記縦方向に沿って設けられ、排泄物を吸収する吸収性本体と、前記横方向に沿って設けられ、前記吸収性本体の前記縦方向の一端部を前記吸収性本体の非肌側から覆いながら前記一端部に前記横方向の中央部が固定された腹側帯部材と、前記腹側帯部材とは別部材として前記横方向に沿って設けられ、前記吸収性本体の前記縦方向の他端部を前記吸収性本体の非肌側から覆いながら前記他端部に前記横方向の中央部が固定された背側帯部材と、を有し、前記吸収性本体は、液体吸収性素材を積層してなる吸収性コアと、前記吸収性コアを該吸収性コアの非肌側から覆う液不透過性の防漏シートを有し、前記吸収性コアより前記横方向外側には、脚周り弾性部材が前記縦方向に沿って配置され、前記背側帯部材には、前記脚周り弾性部材の一部と交差する背側帯弾性部材が前記横方向に沿って配置され、前記腹側帯部材には、前記脚周り弾性部材の一部と交差する腹側帯弾性部材が前記横方向に沿って配置され、前記脚周り弾性部材のうち伸長状態にある部分と前記背側帯弾性部材とが交差する領域の前記縦方向の長さは、前記脚周り弾性部材のうち伸長状態にある部分と前記腹側帯弾性部材とが交差する領域の前記縦方向の長さより長い、ことを特徴とする吸収性物品である。
【０００９】
本発明の他の特徴については、本明細書及び添付図面の記載により明らかにする。
【発明の効果】
【００１０】
本発明によれば、臀部側において十分なフィット性を有する３ピースタイプの使い捨ておむつを提供することができる。
【図面の簡単な説明】
【００１１】
【図１】本実施形態に係る３ピースタイプの使い捨ておむつ（おむつ１）の概略斜視図である。
【図２】展開状態の同おむつ１を肌側から見た概略平面図である。
【図３】同おむつ１を非肌側から見た概略平面図である。
【図４】図４Ａは、図２中のＡ−Ａ断面図及びＣ−Ｃ断面図であり、図４Ｂは、図２中のＢ−Ｂ断面図である。
【図５】本実施形態における吸収性本体１０と腹側帯部材３０ａ及び背側帯部材３０ｂとの関係について説明する図である。
【図６】比較例における吸収性本体１０と腹側帯部材３０ａ及び背側帯部材３０ｂとの関係について説明する図である。
【図７】中央部分ＡＤｃｃに弾性部材３５が存在している例について説明する概略平面図である。
【発明を実施するための形態】
【００１２】
本明細書及び添付図面の記載により、少なくとも以下の事項が明らかとなる。
【００１３】
縦方向と、前記縦方向と交差する横方向と、を有した吸収性物品であって、前記縦方向に沿って設けられ、排泄物を吸収する吸収性本体と、前記横方向に沿って設けられ、前記吸収性本体の前記縦方向の一端部を前記吸収性本体の非肌側から覆いながら前記一端部に前記横方向の中央部が固定された腹側帯部材と、前記腹側帯部材とは別部材として前記横方向に沿って設けられ、前記吸収性本体の前記縦方向の他端部を前記吸収性本体の非肌側から覆いながら前記他端部に前記横方向の中央部が固定された背側帯部材と、を有し、前記吸収性本体は、液体吸収性素材を積層してなる吸収性コアと、前記吸収性コアを該吸収性コアの非肌側から覆う液不透過性の防漏シートを有し、前記吸収性コアより前記横方向外側には、脚周り弾性部材が前記縦方向に沿って配置され、前記背側帯部材には、前記脚周り弾性部材の一部と交差する背側帯弾性部材が前記横方向に沿って配置され、前記腹側帯部材には、前記脚周り弾性部材の一部と交差する腹側帯弾性部材が前記横方向に沿って配置され、前記脚周り弾性部材のうち伸長状態にある部分と前記背側帯弾性部材とが交差する領域の前記縦方向の長さは、前記脚周り弾性部材のうち伸長状態にある部分と前記腹側帯弾性部材とが交差する領域の前記縦方向の長さより長い、ことを特徴とする吸収性物品。
【００１４】
このような吸収性物品によれば、当該吸収性物品を着用した際に、着用者の臀部側において十分なフィット性を実現することができる。また、吸収性本体の腹側を横方向（幅方向）に引っ張る力を大きくしすぎないことにより、腹側において適度なフィット感を維持しつつ、着用者が足を前方に動かす動作を妨げにくくすることができる。
【００１５】
かかる吸収性物品であって、前記脚周り弾性部材の一部と交差する前記背側帯弾性部材は、前記横方向において前記背側帯部材の一端部から他端部までに亘って連続して配置されている、ことが望ましい。
【００１６】
このような吸収性物品によれば、背側帯弾性部材による横方向の伸縮力が背側帯部材の中央部に作用することにより、背側帯部材の全体を着用者の臀部に押し当て、臀部側のフィット性を向上させることができる。また、背側帯弾性部材の弾性力によって吸収本体が横方向（幅方向）外側へ引っ張られる力が強くなるため、着用者の臀部側において吸収本体がずれにくくなる。
【００１７】
かかる吸収性物品であって、前記脚周り弾性部材の一部と交差する前記背側帯弾性部材は、前記横方向において前記背側帯部材の一端部から他端部までの間に少なくとも非連続となる部分を有し、前記脚周り弾性部材の一部と交差する前記腹側帯弾性部材は、前記横方向において前記腹側帯部材の一端部から他端部までの間に少なくとも非連続となる部分を有する、ことが望ましい。
【００１８】
このような吸収性物品によれば、腹側帯部材及び背側帯部材において、中央部分に伸縮性が付与されないことから、該中央部分の横方向の収縮が抑制される。また、吸収性コアの横方向の収縮も抑制されるため、当該吸収性コアの皺の発生も防止することができる。
【００１９】
かかる吸収性物品であって、前記背側帯弾性部材のうち伸長状態にある部分と前記吸収性コアとが重なる部分の前記横方向の長さは、前記腹側帯弾性部材のうち伸長状態にある部分と前記吸収性コアとが重なる部分の前記横方向の長さよりも長い、ことが望ましい。
【００２０】
このような吸収性物品によれば、背側において吸収コアを直接横方向外側に引っ張る力が強くなりすぎないようにすることで、臀部における吸収本体（吸収コア）のフィット感を維持しつつ、臀部と吸収性コアとの間に若干のスペースを形成し、また、腹側において吸収コアを直接横方向外側に引っ張る力を強くすることで、吸収本体（吸収コア）を身体により密着させ、排泄された尿が漏出することを抑制できる。
【００２１】
かかる吸収性物品であって、前記脚周り弾性部材のうち伸長状態にある部分の前記縦方向の長さは、前記吸収性コアの前記縦方向の長さよりも長く、前記脚周り弾性部材のうち伸長状態にある部分の前記縦方向の一端側が前記吸収性コアの腹側端部よりも前記縦方向の外側に、前記脚周り弾性部材のうち伸長状態にある部分の前記縦方向の他端側が前記吸収性コアの背側端部よりも前記縦方向の外側に配置される、ことが望ましい。
【００２２】
このような吸収性物品によれば、脚周り弾性部材による収縮力が働く領域がより大きく形成されるため、背側帯弾性部材（腹側帯弾性部材）によって吸収本体が横方向（幅方向）外側へ引っ張られる効果を大きくすることができる。
【００２３】
かかる吸収性物品であって、前記脚周り弾性部材を前記吸収性本体に張り合わせる際に前記脚周り弾性部材を前記縦方向に伸長させる割合よりも、前記背側帯弾性部材を前記腹側帯部材に張り合わせる際に前記背側帯弾性部材を前記横方向に伸長させる割合の方が大きい、ことが望ましい。
【００２４】
このような吸収性物品によれば、吸収性本体（吸収性コア）を横方向外側に広げる力がより強く働くため、着用者の臀部領域で吸収性本体（吸収性コア）を横方向に拡幅し、排泄物が漏れることを抑制することができる。
【００２５】
＝＝＝実施形態＝＝＝
【００２６】
＜使い捨ておむつの構成＞
図１は、本実施形態の吸収性物品の一例としての３ピースタイプの使い捨ておむつ（おむつ１）の概略斜視図である。図２は、展開状態のおむつ１を肌側から見た概略平面図である。図３は、同おむつ１を非肌側から見た概略平面図である。また、図４Ａは、図２中のＡ−Ａ断面図及びＣ−Ｃ断面図であり、図４Ｂは、図２中のＢ−Ｂ断面図である。
【００２７】
図２、図４Ａ、及び図４Ｂに示すように、このおむつ１は、互いに直交する三方向として縦方向と横方向と厚さ方向とを有している。また、同おむつ１は、所謂３ピースタイプであることから、３つの部品１０，３０ａ，３０ｂを有している。すなわち、このおむつ１は、第１部品として、着用者の股間部にあてがわれ尿等の排泄物を吸収する吸収性本体１０を有し、第２部品として、同着用者の腹側部を覆う腹側帯部材３０ａを有し、第３部品として、同着用者の背側部を覆う背側帯部材３０ｂを有している。そして、図２の展開状態では、腹側帯部材３０ａ（図で縦方向上側）と背側帯部材３０ｂ（図で縦方向下側）とが互いに縦方向に間隔をあけて平行に並んだ状態で、これらの間に吸収性本体１０が掛け渡されつつ、同吸収性本体１０の長手方向の各端部１０ｅａ，１０ｅｂがそれぞれ最寄りの帯部材３０ａ，３０ｂに接合固定されており、その外観形状は平面視略Ｈ形状をなしている。そして、この状態から、吸収性本体１０がその長手方向の略中央部Ｃ１０を折り位置として二つ折りされる。この二つ折りの状態において互いに対向する腹側帯部材３０ａと背側帯部材３０ｂとが、着用者の脇腹に当接すべき部分である腹側帯部材側縁部３０ａｅと、背側帯部材側縁部３０ｂｅと（つまり、横方向の各端部）にて接合・連結されると、これら帯部材３０ａ，３０ｂ同士が環状に成形される。これにより、図１に示すような胴周り開口１ＨＢ及び一対の脚周り開口１ＨＬが形成された着用状態のおむつ１となる。
【００２８】
なお、上述の腹側帯部材側縁部３０ａｅと背側帯部材側縁部３０ｂｅとを連結する連結構造としては、種々の連結構造を採用できる。そして、例えば、溶着等の取り外し不能な連結構造を用いれば、パンツ型のおむつにすることができ、他方、ファスニングテープ部材（不図示）等の着脱自在な連結構造を用いれば、オープン型のおむつにすることができる。ちなみに、この例では、前者の連結構造を用いており、これにより、本実施形態のおむつ１はパンツ型とされている。
【００２９】
また、以下の説明では、おむつ１の縦方向、横方向、厚さ方向のことを、それぞれ単に「縦方向」、「横方向」、「厚さ方向」と言う。なお、厚さ方向に関しては、着用者に接触する側のことを「肌側」とも言い、その逆側のことを「非肌側」とも言う。また、おむつ１の「横方向」は、図１のようなおむつ形状時において吸収性本体１０の「幅方向」とも言えることから、以下の説明では「横方向」のことを「幅方向」とも呼ぶ場合がある。
【００３０】
以下、図１乃至図４Ｂを参照しつつ、おむつ１の３つの構成部品１０，３０ａ，３０ｂについて説明する。
【００３１】
図２及び図４Ｂに示すように、吸収性本体１０は、吸収性コア１１と、吸収性コア１１を同コア１１の肌側から覆う表面シート部材１３と、吸収性コア１１を同コア１１の非肌側から覆って吸収性本体１０の外装をなす裏面シート部材１５と、を備えている。
【００３２】
吸収性コア１１は、液体吸収性素材を積層してなる部材であり、尿等の排泄物を吸収することができる。液体吸収性素材としては、例えば、パルプ繊維等の液体吸収性繊維を使用することができる。なお、吸収性コア１１は、液体吸収性粒状物として例えば高吸収性ポリマーを含有していても良いし、または、液体吸収性繊維及び液体吸収性粒状物以外の液体吸収性素材を含んでいても良い。また、吸収性コア１１は、ティッシュペーパー等の液透過性シート（不図示）で被覆されていても良い。
【００３３】
本実施形態の吸収性コア１１は、図２における縦方向の上側端部である腹側端部１１ａと、図２における縦方向の下側端部である背側端部１１ｂを有する。そして、腹側端部１１ａと背側端部１１ｂとの間に、腹側端部１１ａ及び背側端部１１ｂよりも横方向の幅が狭いくびれ部１１ｃを有する。これにより、吸収性コア１１は図２に示されるような平面視略砂時計形状となるように構成されている。
【００３４】
表面シート部材１３は、吸収性コア１１を肌側から覆うシート状の部材であり、例えば吸収性コア１１よりも大きい平面サイズの液透過性の不織布である（図４Ｂ参照）。また、裏面シート部材１５は、吸収性コア１１を非肌側から覆うシート状の部材であり、吸収性コア１１より大きい平面サイズのシートであり、その一例としては、ポリエチレン又はポリプロピレン等の液不透過性の防漏シート１５ａと、不織布等の外装シート１５ｂとが貼り合わされた二層構造のシートが挙げられる。そして、これら裏面シート部材１５と表面シート部材１３との間に吸収性コア１１を挟んだ状態において、吸収性コア１１の四辺から外側にはみ出す部分にて、裏面シート部材１５の防漏シート１５ａと表面シート部材１３とが額縁状に貼り合わされ、これにより、吸収性本体１０が概ね形成されている。
【００３５】
また、おむつ１では、図１、図２、及び図４Ｂに示すように、外装シート１５ｂによって所謂立体ギャザーＬＳＧ及び脚回りギャザーＬＧが形成される。立体ギャザーＬＳＧは、表面シート部材１３の横方向の各端部にそれぞれ起立して設けられた防漏壁部であり、他方、脚回りギャザーＬＧは、おむつ１の各脚周り開口１ＨＬ，１ＨＬに形成される脚周り伸縮部のことである。かかる外装シート１５ｂについて詳説すると、先ず、図４Ｂに示すように、外装シート１５ｂの横方向の寸法は、防漏シート１５ａよりも十分大きくされており、すなわち、外装シート１５ｂは、防漏シート１５ａの横方向の両側から横方向に大きくはみ出している。そして、このはみ出した部分１５ｂｆが、吸収性本体１０の横方向の端部１０ｅｓをなす位置を折り返し位置として横方向の中央側に折り返されて、同折り返し位置の近傍に縦方向に沿って糸ゴム等の脚周り弾性部材１７及び脚周り補助弾性部材１９が縦方向に伸長された状態で固定され、これにより、上記の脚回りギャザーＬＧが形成されている。なお、脚周り補助弾性部材１９は必ず必要というわけではなく、脚周り弾性部材１７のみによって脚回りギャザーＬＧが形成されるのであっても良い。また、折り返された部分１５ｂｇは、更に横方向の中央側へと延びていき、表面シート部材１３の横方向の端部を覆う位置で、同端部に接合されている。そして、この端部に接合された部分が立体ギャザーＬＳＧの基端部ＬＳＧｂとして機能して、すなわち、当該基端部ＬＳＧｂよりも更に横方向の先端側の部分が自由端部分ＬＳＧｆとして表面シート部材１３から起立可能となっている。また、自由端部分ＬＳＧｆの先端部には、縦方向に沿って糸ゴム等のＬＳＧ弾性部材１８が縦方向に伸長された状態で固定されている。よって、ＬＳＧ弾性部材１８の縦方向の収縮によって、表面シート部材１３側が内周側となるように吸収性本体１０は縦方向に湾曲するが、この湾曲時には、同ＬＳＧ弾性部材１８から付与される収縮力によって自由端部分ＬＳＧｆは、縦方向に収縮して表面シート部材１３から起立し、これにより、同自由端部分ＬＳＧｆは立体ギャザーＬＳＧとして機能する。
【００３６】
なお、不図示であるが、場合によっては、表面シート部材１３と吸収性コア１１との間、又は、裏面シート部材１５と吸収性コア１１との間に、セカンドシートとしてティッシュペーパー等の液透過性シートを介装しても良い。
【００３７】
図２に示すように、腹側帯部材３０ａ及び背側帯部材３０ｂは、いずれも、例えば不織布等の柔軟なシートを素材とした平面視略矩形形状のシート部材である。ここでは、図４Ａ及び図４Ｂに示すように、不織布３１，３２を二枚重ねに接合することで腹側帯部材３０ａ及び背側帯部材３０ｂが形成されている。そして、腹側帯部材３０ａ及び背側帯部材３０ｂは、それぞれ横方向の中央部３０ａｃ，３０ｂｃで、吸収性本体１０における縦方向の各端部１０ｅａ，１０ｅｂを吸収性本体１０の非肌側から覆いながら、当該各端部１０ｅａ，１０ｅｂに帯部材３０ａ，３０ｂの中央部３０ａｃ，３０ｂｃが重ね合わせられて接合されている。なお、二枚の不織布３１，３２は互いに同じサイズでなくても良い。
【００３８】
腹側帯部材３０ａの中央部３０ａｃ及び背側帯部材３０ｂの中央部３０ｂｃへの吸収性本体１０の重ね合わせは、腹側帯部材３０ａの縦方向の端部３０ａｅ２及び背側帯部材３０ｂの縦方向の端部３０ｂｅ２には吸収性本体１０を重ねずに、同端部３０ａｅ２，３０ｂｅ２よりも縦方向の中央側の部分３０ａｃ２，３０ｂｃ２に吸収性本体１０を重ねるようにして行われる（図２参照）。そして、これにより、腹側帯部材３０ａ及び背側帯部材３０ｂにおける縦方向の端部３０ａｅ２，３０ｂｅ２は、横方向の全長に亘って帯状に吸収性本体１０が全く重ならない部分３０ａｅ２，３０ｂｅ２とされている。なお、この重ならない部分３０ａｅ２，３０ｂｅ２は、おむつ１の胴回り開口１ＨＢ（図１）を構成する部分となり、よって、当該部分３０ａｅ２，３０ｂｅ２には、後述する弾性部材３５が、同部分３０ａｅ２，３０ｂｅ２における横方向の略全長に亘って連続して設けられている。
【００３９】
図２、図４Ａ、及び図４Ｂに示すように、帯部材３０ａ，３０ｂに係る２枚の不織布３１，３２同士の間には、横方向に沿って糸ゴム等の複数本の弾性部材３５，３５…が介挿されつつ、横方向に伸長された状態で同不織布３１，３２に接合固定されており、これにより、腹側帯部材３０ａ及び背側帯部材３０ｂにはそれぞれ横方向の伸縮性が付与されている。また、かかる複数本の弾性部材３５，３５…は、縦方向に間隔をあけながら縦方向に並んで設けられている。本明細書中では、腹側帯部材３０ａに設けられる弾性部材３５を腹側帯弾性部材３５ａとし、背側帯部材３０ｂに設けられる弾性部材３５を背側帯弾性部材３５ｂとする。弾性部材３５は、太さや本数、縦方向の配置位置等の詳細仕様を除けば、その基本構成は、概ね互いに同じである。そのため、以下では、腹側帯部材３０ａに設けられる腹側帯弾性部材３５ａについて説明し、背側帯部材３０ｂに設けられる背側帯部材３０ｂの説明については省略する場合がある。また、このことは、背側帯部材３０ｂに関する全ての構成についても同様である。
【００４０】
また、以下では、説明の都合上、図３に示すように、帯部材３０ａを縦方向に二つの領域ＡＵ，ＡＤに区分し、そして、縦方向に並ぶ二つの各領域ＡＵ，ＡＤのことを、縦方向の端側から中央側に向かうに従って、「上部領域ＡＵ」、及び「下部領域ＡＤ」と言う。なお、同図３を参照してわかるように、領域ＡＵ，ＡＤともに、横方向に沿った帯状の領域とされている。
【００４１】
上部領域ＡＵは、おむつ１の胴回り開口１ＨＢを構成する部分であり、また、同領域ＡＵは、横方向の全長に亘って吸収性本体１０（吸収性コア１１）が全く重ね合わせられていない領域である。そして、かかる上部領域ＡＵには、腹側帯弾性部材３５ａ（背側帯弾性部材３５ｂ）が、同領域ＡＵにおける横方向の一端部から他端部までの略全長に亘って連続して配置されながら、横方向に伸長された状態で固定されている。よって、当該腹側帯弾性部材３５ａに基づいて上部領域ＡＵには、横方向の略全長に亘って横方向の伸縮性が付与されており、この伸縮性は、おむつ１の胴回り開口１ＨＢの伸縮性となる。
【００４２】
下部領域ＡＤは、横方向の中央部ＡＤｃに、吸収性本体１０のうちの吸収性コア１１が存在する部分１０ｐが重ね合わせられて固定される領域である。なお、かかる下部領域ＡＤのうちで上記中央部ＡＤｃの両側に位置する各部分ＡＤｅ，ＡＤｅには、吸収性本体１０は重ね合わせられていない。
【００４３】
また、同各部分ＡＤｅ，ＡＤｅには、それぞれ、弾性部材３５が、同部分ＡＤｅにおける横方向の一端部から他端部までの略全長に亘って連続して配置されながら、横方向に伸長下で固定されている。そして、これにより、当該各部分ＡＤｅ，ＡＤｅには横方向の略全長に亘って横方向の伸縮性が付与されている。
【００４４】
他方、上記中央部ＡＤｃには、弾性部材３５が横方向に非連続に配置されている。詳しくは、この例では、上記中央部ＡＤｃのうちの横方向の両端部ＡＤｃｅ，ＡＤｃｅには、上記の弾性部材３５の端部が位置しているが、上記中央部ＡＤｃのうちの横方向の中央部分ＡＤｃｃには、弾性部材３５が存在しておらず、故に、上記中央部ＡＤｃでは、弾性部材３５が横方向に非連続に配置されている。そして、このように中央部ＡＤｃの中央部分ＡＤｃｃに弾性部材３５が存在していない場合には、同中央部分ＡＤｃｃに伸縮性がほぼ付与されないことから、同中央部分ＡＤｃｃの横方向の収縮は抑制される。そして、これに伴い、吸収性コア１１の横方向（幅方向）の収縮も抑制されるため、当該吸収性コア１１の皺の発生も防止されて吸収性コア１１の肌側面は略平坦に維持される。そして、その結果、吸収性コア１１の吸液阻害を有効に防ぐことができて、また皺の発生に起因する排泄物の漏れも抑制することができる。
【００４５】
なお、本実施形態では、腹側帯部材３０ａの横方向の両端部ＡＤｃｅにおいて腹側帯弾性部材３５ａが配置されている部分の横方向長さＷａが、背側帯部材３０ｂの横方向の両端部ＡＤｃｅにおいて背側帯弾性部材３５ｂが配置されている部分の横方向長さＷｂよりも長い。言い換えると、腹側帯弾性部材３５ａのうち伸縮力を有する部分が吸収性コア１１と重なる部分の横方向長さが、背側帯弾性部材３５ｂのうち伸縮力を有する部分が吸収性コア１１と重なる部分の横方向長さよりも長くなるようにしている。このような配置の効果については、後述する図５において説明する。
【００４６】
また、図３に示すように、下部領域ＡＤの上記中央部ＡＤｃには、動物等の不図示のイラストが形成されたイラストシート４０が設けられているが、上記と同様の理由で、このイラストシート４０の皺の発生も抑制される。よって、イラストは見えやすくなる。
【００４７】
また、図３に示すように、背側帯部材３０ｂの非肌側の表面には後処理テープ５０が設けられている。後処理テープ５０は粘着面を有する細長いテープ状の部材であり、粘着面を内側にして折り畳んだ状態で背側帯部材３０ｂに固定されている。使用後のおむつ１を廃棄する際に、縦方向に丸めたおむつ１に対して、折り畳まれている後処理テープ５０を伸ばして粘着面側を該おむつ１に巻き回すことにより、おむつ１を丸めた状態に保持することができる。これにより、おむつ１の内部（吸収性本体１０）に付着した排泄物等を外に漏出させることなくおむつ１を廃棄することができる。
【００４８】
＜背側帯部材３０ｂの配置について＞
本実施形態のおむつ１では、吸収性本体１０に対する背側帯部材３０ｂの接合位置を調整することで、おむつ着用時における背側のフィット性を向上させている。以下、比較例を用いて説明する。
【００４９】
図５は、本実施形態における吸収性本体１０と腹側帯部材３０ａ及び背側帯部材３０ｂとの関係について説明する図である。図６は、比較例における吸収性本体１０と腹側帯部材３０ａ及び背側帯部材３０ｂとの関係について説明する図である。
【００５０】
上述したように、おむつ１では腹側帯部材３０ａ（背側帯部材３０ｂ）の下部領域ＡＤのうち横方向の両側部に位置するＡＤｅにおいて、複数の腹側帯弾性部材３５ａ（背側帯弾性部材３５ｂ）が横方向に沿って配置されている。そして、腹側帯弾性部材３５ａ（背側帯弾性部材３５ｂ）は領域ＡＤｅにおいて、吸収性本体１０の横方向（幅方向）両端で縦方向に伸長された状態で設けられた脚周り弾性部材１７及び脚周り補助弾性部材１９の一部と交差するように配置されている。ここで、腹側帯弾性部材３５ａと脚周り弾性部材１７及び脚周り補助弾性部材１９とが交差する領域の縦方向の長さをＬａとする。同様に、背側帯弾性部材３５ｂと脚周り弾性部材１７及び脚周り補助弾性部材１９とが交差する領域の縦方向の長さをＬｂとする。
【００５１】
このような交差領域では、おむつ１の着用時において脚周り弾性部材１７及び脚周り補助弾性部材１９によって吸収性本体１０を縦方向に収縮させる力が働くと共に、腹側帯弾性部材３５ａ（背側帯弾性部材３５ｂ）によって吸収性本体１０を横方向（幅方向）に引っ張る力が働く。つまり、着用者の身体に対して吸収性本体１０（吸収性コア１１）を密着させるような力が働く。これにより、吸収性本体１０（吸収性コア１１）が着用者の身体の広範囲を覆うようになる。
【００５２】
なお、脚周り弾性部材１７及び脚周り補助弾性部材１９は、吸収性本体１０の縦方向の全領域に亘って伸長状態で配置されているわけではなく、縦方向の所定の領域において伸張状態で配置されている。該弾性部材が伸長状態で配置されている領域では吸収性本体１０に対して縦方向に収縮する力が働き、該弾性部材が伸長状態で配置されていない領域では吸収性本体１０に対して縦方向に収縮する力が働かない。本明細書中では、この縦方向に収縮する力が働く領域の縦方向長さを脚周り弾性部材１７及び脚周り補助弾性部材１９の「有効長」とも呼ぶ。図５及び図６において太破線で示される部分が脚周り弾性部材１７及び脚周り補助弾性部材１９の有効長に相当する。
【００５３】
また、本実施形態では、脚周り弾性部材１７の有効長が少なくとも吸収性コア１１の縦方向の長さよりも長い。そして、吸収性コア１１の縦方向の一端側が腹側端部１１ａよりも縦方向の外側に、縦方向の他端側が背側端部１１ｂよりも縦方向の外側になるように、脚周り弾性部材１７が配置される。つまり、腹側端部１１ａ及び背側端部１１ｂよりも縦方向の外側まで脚周り弾性部材１７による収縮力が働く領域が形成されている。これにより、Ｌａ及びＬｂを極力長くとることが可能となる。したがって、後述する背側帯弾性部材３５ｂ（腹側帯弾性部材３５ａ）による横方向外側への引っ張り効果を大きくすることができる。
【００５４】
図６に示されるように、比較例では、腹側の交差領域であるＬａの長さと、背側の交差領域であるＬｂの長さとがほぼ等しい。具体的には、図６の領域Ｌａにおいて脚周り弾性部材１７の有効長部分と交差する腹側帯弾性部材３５ａは７本であり、図６の領域Ｌｂにおいて脚周り弾性部材１７の有効長部分と交差する背側帯弾性部材３５ｂは７本である。したがって、比較例では、背側帯弾性部材３５ｂによって脚周り弾性部材１７の有効長に作用する力（横方向外側に引っ張る力）がほぼ均等に作用する。
【００５５】
ところで、比較例のような場合、おむつを着用する人間が足を動かすことにより、背側において吸収性本体１０（吸収性コア１１）のフィット性が悪くなるおそれがある。人間は主に前側（腹側）に足を動かすことが多いため、着用者が足を動かすたびに吸収性本体１０（吸収性コア１１）が前側（腹側）に引っ張られるのに対して、腹側帯弾性部材３５ａ（背側帯弾性部材３５ｂ）による収縮力は一定であるため、着用者の臀部において吸収性本体１０（吸収性コア１１）を横方向（幅方向）外側に引っ張る力よりも縦方向腹側に引っ張る力の方が支配的となり、吸収性本体１０（吸収性コア１１）の位置がずれやすくなる。この場合、排便等によって背側が重くなった際に吸収性本体１０（吸収性コア１１）がずれた部分から排泄物が外部に漏出するおそれがある。特に、着用者が赤ん坊や幼児である場合は、寝姿勢でおむつが着用されることが多いため、背側（臀部側）の股間部に隙間が生じると、排泄物が漏出しやすくなる。また、吸収性本体１０（吸収性コア１１）の背側において横方向（幅方向）外側に引っ張る力が弱いと、着用者が足を動かすたびに吸収性本体１０の端部１０ｅｂが横方向（幅方向）の内側にずれやすくなるため、吸収性本体１０（吸収性コア１１）がめくれあがって臀部が露出しやすくなる。
【００５６】
これに対して、図５に示されるように、本実施形態では、腹側の交差領域であるＬａの長さよりも、背側の交差領域であるＬｂの長さが長い。言い換えると、脚周り弾性部材１７（脚周り補助弾性部材１９）のうち縦方向に伸長した状態にある部分（有効長）と背側帯弾性部材３５ｂとが交差する領域の方が、脚周り弾性部材１７（脚周り補助弾性部材１９）のうち縦方向に伸長した状態にある部分（有効長）と腹側帯弾性部材３５ａと交差する領域よりも大きい。具体的には、図５の領域Ｌａにおいて脚周り弾性部材１７の有効長部分と交差する腹側帯弾性部材３５ａは７本であるのに対して、図６の領域Ｌｂにおいて脚周り弾性部材１７の有効長部分と交差する背側帯弾性部材３５ｂは７本よりも多い１０本である。したがって、吸収性本体１０（吸収性コア１１）や脚周り弾性部材１７が背側帯弾性部材３５ｂによって横方向（幅方向）外側に引っ張られる力の方が、腹側帯弾性部材３５ａによって横方向（幅方向）外側に引っ張られる力よりも大きくなる。これにより、本実施形態のおむつ１では背側のフィット性を高くすることができる。
【００５７】
本実施形態では、おむつ１の着用者が足を動かすことにより吸収性本体１０（吸収性コア１１）を縦方向腹側に引っ張る力が生じた場合でも、背側において吸収性本体１０（吸収性コア１１）を横方向（幅方向）に引っ張る力が大きいため、吸収性本体１０（吸収性コア１１）の位置が比較例の場合よりもずれにくくなる。また、背側において吸収性本体１０（吸収性コア１１）を横方向（幅方向）に引っ張る力は大きくする一方で、腹側では吸収性本体１０（吸収性コア１１）を横方向（幅方向）に引っ張る力を大きくしていないため、腹側においては適度なフィット感を維持することができ、着用者が足を前方に動かす動作を妨げにくい。
【００５８】
なお、本実施形態のおむつ１では、腹側帯弾性部材３５ａのうち伸張状態にある部分（すなわち腹側帯弾性部材３５ａの有効長部分）と吸収性コア１１とが重なる部分の横方向長さＷａを、背側帯弾性部材３５ｂのうち伸張状態にある部分（すなわち背側帯弾性部材３５ｂの有効長部分）と吸収性コア１１とが重なる部分の横方向長さＷｂよりも長くすることにより（図５参照）、吸収性コア１１が横方向（幅方向）外側に引っ張られる力の強さを調整することができる。弾性部材が吸収性コア１１と重なる部分が長いほど、該弾性部材によって吸収性コア１１が横方向（幅方向）外側に強く引っ張られるため、本実施形態のように、背側帯弾性部材３５ｂと吸収性コア１１との重なり部分を短くすることで、背側において吸収性コア１１を直接横方向（幅方向）外側に引っ張る力が強くなりすぎないようにしている。これにより、臀部における吸収性本体１０のフィット感を維持しつつ、臀部と吸収性コア１１との間に若干のスペースが形成され、排泄された便を拡散させることなく当該スペースに保持することができる。一方、腹側において吸収性コア１１を直接横方向（幅方向）外側に引っ張る力を強くすることで、吸収性コア１１を身体に密着させ、排泄された尿が漏出することを抑制できる。
【００５９】
また、本実施形態のおむつ１では、脚周り弾性部材１７または脚周り補助弾性部材１９が縦方向に伸縮する際の伸縮力よりも、背側帯弾性部材３５ｂが横方向に伸縮する際の伸縮力の方が強くなるように、各弾性部材が設けられている。すなわち、脚周り弾性部材１７及び脚周り補助弾性部材１９を吸収性本体１０に張り合わせる際に脚周り弾性部材１７及び脚周り補助弾性部材１９を伸長させる割合よりも、背側帯弾性部材３５ｂを背側帯部材３０ｂに張り合わせる際に背側帯弾性部材３５ｂを伸長させる割合が大きくなるように、各弾性部材が配置されている。これにより、吸収性本体１０（吸収性コア１１）を横方向（幅方向）外側に広げる力がより強く働くため、着用者の臀部領域等で吸収性本体１０（吸収性コア１１）を横方向（幅方向）に拡幅し、排泄物が漏れることを抑制しやすくしている。
【００６０】
また、本実施形態のおむつ１では、おむつ着用時において後処理テープ５０によって臀部側の肌触りに違和感を生じるのを抑制することができる。おむつ１では、背側帯弾性部材３５ｂと脚周り弾性部材１７とが交差する領域の縦方向長さＬｂが、腹側帯弾性部材３５ａと脚周り弾性部材１７とが交差する領域の縦方向長さＬａよりも長い。すなわち、背側帯部材３０ｂと吸収性本体１０との縦方向における重なり部が大きい。これにより、背側帯部材３０ｂの非肌側表面に固定されている後処理テープ５０の位置も厚さ方向において吸収性コア１１の位置と重なりやすくなる（図３参照）。着用者がおむつ１を着用する際には、着用者の肌（臀部）と後処理テープ５０との間に厚さ方向に厚みのある吸収性コア１１が存在するため、該吸収性コア１１がクッションとして機能することで、後処理テープ５０の感触を着用者の肌（臀部）に伝えにくく、違和感を生じるのが抑制される。
【００６１】
＝＝＝その他の実施の形態＝＝＝
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのは言うまでもない。例えば、以下に示すような変形が可能である。
【００６２】
上述の実施形態では、腹側帯部材３０ａ（背側帯部材３０ｂ）において、下部領域ＡＤの横方向の中央部ＡＤｃの伸縮性を低くする目的で、当該中央部ＡＤｃの弾性部材３５ａ（３５ｂ）を非連続としていた。そして、この非連続な弾性部材の一例として、図３に示すように、同中央部ＡＤｃのうちの横方向の両端部ＡＤｃｅ，ＡＤｃｅには、弾性部材３５ａ（３５ｂ）が存在しているが、同中央部ＡＤｃのうちの横方向の中央部分ＡＤｃｃには、同弾性部材３５ａ（３５ｂ）が存在していない構成を例示したが、何等これに限らない。
【００６３】
すなわち、下部領域ＡＤの中央部ＡＤｃの伸縮性を下げるべく同中央部ＡＤｃに弾性部材３５ａ（３５ｂ）が非連続に配置されているのであれば、当該中央部ＡＤｃのうちの更に中央部分ＡＤｃｃに弾性部材３５ａ（３５ｂ）が存在していても良い。図７は、その一例の説明用の概略平面図である。なお、同図７では、腹側帯部材３０ａのうちの非肌側の不織布３１を取り除いて、弾性部材３５ａを外部露出した状態で示している。この図７の例では、中央部分ＡＤｃｃに位置する弾性部材３５ａは、細かく分断された状態となっている。そして、かかる細切れ状態になっていれば、弾性部材３５ａは、中央部分ＡＤｃｃに対して概ね伸縮性を付与しなくなる。よって、このように細切れ状態の弾性部材３５ａであれば、中央部分ＡＤｃｃに存在していても構わない。細切れ状態の弾性部材３５ａの長さは、例えば０ｍｍよりも大きく５ｍｍ以下の長さとされ、より望ましくは、０ｍｍよりも大きく３ｍｍ以下の長さとされる。但し、細切れされた弾性部材３５ａが存在していると、見栄えが悪くなるので、望ましくは、中央部分ＡＤｃｃには弾性部材３５Ｄが存在しない方が良い（図３）。
【００６４】
また、背側帯部材３０ｂについては、下部領域ＡＤの横方向において背側帯部材３０ｂの一端部から他端部までに亘って連続して配置されているのであっても良い。すなわち、
横方向全域に亘って背側帯弾性部材３５ｂが連続的に配置されているのであっても良い（不図示）。これにより、中央部ＡＤｃに背側帯弾性部材３５ｂによる横方向の伸縮力が働くようになる。背側帯部材３０ｂの中央部ＡＤｃに伸縮力が作用することにより、当該部分において脚周り弾性部材１７（脚周り補助弾性部材１９）と背側帯部材３０ｂとが互いに引っ張り合い、背側帯部材３０ｂの全体を着用者の臀部に押し当てる。これによって、臀部側のフィット性を向上させることができる。なお、この場合でも腹側帯部材３０ａに設けられる腹側帯弾性部材３５ａは中央部ＡＤｃにおいて非連続な部分を有する。
【００６５】
上述の実施形態では、図３の下部領域ＡＤにおける横方向の中央部ＡＤｃに弾性部材３５を非連続で配置していたが、何等これに限らない。例えば、同中央部ＡＤｃに弾性部材３５を配置しなくても良い。すなわち、前述した図３の例では、中央部ＡＤｃには、横方向の各端部ＡＤｃｅ，ＡＤｃｅの位置に弾性部材３５の端部がかかっていたが、かかる弾性部材３５の端部が中央部ＡＤｃの端部ＡＤｃｅの位置にかかっていなくても良い。
【００６６】
上述の実施形態では、外装シート１５ｂ及び腹側帯部材３０ａ，背側帯部材３０ｂの素材をそれぞれ不織布としていたが、何等不織布に限らない。例えば、織布でも構わないし、織布以外のシート部材でも構わない。ちなみに、外装シート１５ｂについては省略しても良く、その場合には、防漏シート１５ａが吸収性本体１０の外装をなすことになる。
【００６７】
上述の実施形態では、弾性部材３５として糸ゴムを例示したが、何等これに限らない。例えば、弾性部材３５として帯状のゴムを用いても良いし、伸縮性を有した帯状の不織布や、伸縮性を有した帯状の樹脂フィルムを用いても良い。
【符号の説明】
【００６８】
１  おむつ（吸収性物品）、１ＨＢ  胴回り開口、１ＨＬ  脚周り開口、
１０  吸収性本体、１０ｅａ  端部、１０ｅｂ  端部、
１０ｅｓ  端部、１０ｐ  部分、
１１  吸収性コア、
１１ａ  腹側端部、１１ｂ  背側端部、１１ｃ  くびれ部、
１３  表面シート部材、
１５  裏面シート部材、
１５ａ  防漏シート、１５ｂ  外装シート、
１５ｂｆ  はみ出した部分、１５ｂｇ  折り返された部分、
１７  脚周り弾性部材、１８  ＬＳＧ弾性部材、１９  脚周り補助弾性部材、
３０ａ  腹側帯部材、３０ａｃ  中央部、３０ａｃ２  部分、
３０ａｅ  側縁部、３０ａｅ２  端部、
３０ｂ  背側帯部材、３０ｂｃ  中央部、３０ｂｃ２  部分、
３０ｂｅ  側縁部、３０ｂｅ２  端部、
３１  不織布、３２  不織布、
３５  弾性部材、
３５ａ  腹側帯弾性部材、３５ｂ  背側帯弾性部材、
４０  イラストシート、
５０  後処理テープ、
ＡＵ  上部領域、ＡＤ  下部領域、
ＡＤｃ  中央部、ＡＤｃｃ  中央部分、ＡＤｃｅ  端部、
ＡＤｅ  部分、
ＬＧ  脚回りギャザー、
ＬＳＧ  立体ギャザー（防漏壁部）、
ＬＳＧｂ  基端部、ＬＳＧｆ  自由端部分、
【図１】
2015071007.tif 000003
【図２】
2015071007.tif 000004
【図３】
2015071007.tif 000005
【図４】
2015071007.tif 000006
【図５】
2015071007.tif 000007
【図６】
2015071007.tif 000008
【図７】
2015071007.tif 000009